(57)【要約】【課題】ユーザが短時間で目的の曲、目的のアルバム、または目的のプレイリストを判断できる再生技術を提供する。【解決手段】曲データの特定再生部分を再生する特定再生モードでの再生機能を備えた再生装置において、特定再生モードで曲データを再生している際に当該曲データの再生終了位置まで再生が完了すると、当該特定再生部分を含む曲データの曲の開始位置から再生を開始する。【選択図】図１
2007220242.tif 000002
【特許請求の範囲】
【請求項１】
曲データの特定再生部分を再生する特定再生モードでの再生機能を備えた再生装置において、
特定再生モードで曲データを再生している際に当該曲データの再生終了位置まで再生が完了すると、当該特定再生部分を含む曲データの曲の開始位置から再生を開始する再生開始手段を備えたことを特徴とする再生装置。
【請求項２】
曲データの特定再生部分を再生する特定再生モードでの再生機能を備えた再生装置において、
特定再生モードで曲データを再生している際に当該曲データの再生終了位置まで再生が完了すると、当該曲データの次の曲データの曲の開始位置から再生を開始する再生開始手段を備えたことを特徴とする再生装置。
【請求項３】
トラックアップの操作を受け付けるトラックアップ受付手段と、
前記トラックアップ受付手段によって受け付けたトラックアップの操作の回数がＮ回であるとき、Ｎ曲先の曲データを読み込むトラックアップ実行手段を更に備える請求項１または２に記載の再生装置。
【請求項４】
前記トラックアップ実行手段は、前記トラックアップ受付手段によって受け付けたトラックアップの操作の回数が前記曲データから前記曲リストで末尾方向の曲数よりも多いとき、前記曲リストの先頭を前記曲リストの最後に継続させた曲リストにおいて、トラックアップの操作の回数に対応する位置にて曲データを読み込む請求項３に記載の再生装置。
【請求項５】
トラックダウンの操作を受け付けるトラックダウン受付手段と、
前記トラックダウン受付手段によって受け付けたトラックダウンの操作の回数がＮ回であるとき、Ｎ−１曲前の曲データを読み込むトラックダウン実行手段を更に備える請求項１〜４のいずれかに記載の再生装置。
【請求項６】
前記トラックダウン実行手段は、前記トラックダウン受付手段によって受け付けたトラックダウンの操作の回数よりも１少ない数が前記曲データから前記曲リストで先頭方向の曲数よりも多いとき、前記曲リストの最後を前記曲リストの最初に継続させた曲リストにおいて、前記トラックダウンの操作の回数に対応する位置にて曲データを読み込む請求項５に記載の再生装置。
【請求項７】
前記トラックダウン受付手段によって受け付けたトラックダウンの操作の回数が１回であるとき、
再生モードが特定再生モードである場合には、前記曲データ内の特定再生部分の開始位置に再生位置を指定し、
再生モードが通常再生モードである場合には、前記曲データ内の曲の開始位置に再生位置を指定する
請求項５または６に記載の再生装置。
【請求項８】
前記ユーザから曲リストの指定を受ける一方で曲データの指定を受けていない場合において、
再生モードが特定再生モードのとき、前記曲リストを読込み、前記曲リストで優先指定された曲の曲データを優先的に読み込み、
再生モードが通常再生モードのとき、前記曲リストの最初の曲の曲データを読み込む曲読込制御手段をさらに備える請求項１〜７のいずれかに記載の再生装置。
【請求項９】
コンピュータに、
曲データの特定再生部分を特定再生モードで再生させる再生ステップと、
特定再生モードで曲データを再生している際に当該曲データの再生終了位置まで再生が完了すると、当該特定再生部分を含む曲データの曲の開始位置から再生を開始させる再生開始ステップと
を実行させる再生プログラム。
【請求項１０】
コンピュータに、
曲データの特定再生部分を特定再生モードで再生させる再生ステップと、
特定再生モードで曲データを再生している際に当該曲データの再生終了位置まで再生が完了すると、当該曲データの次の曲データの曲の開始位置から再生を開始させる再生開始ステップと
を実行させる再生プログラム。
【発明の詳細な説明】
【技術分野】
【０００１】
本発明は、再生装置及び再生プログラムに関する。
【背景技術】
【０００２】
従来、楽曲の再生装置の多くに、大容量のハードディスクが搭載されている。この再生装置には、最大数千曲（最大数千トラック）という膨大な曲数を登録することが可能である。この再生装置に対して、ユーザは、ディスプレイを使用して自分が聴きたい曲を選択する。すると、再生装置は、ユーザによって選択された曲のデータをハードディスクから読込み、読み込んだデータに応じた曲を再生する。
【０００３】
本発明に係る先行技術文献としては、次に示すものがある。
【特許文献１】特開２００４−１１８９０５号公報
【特許文献２】特開平８−３１５５５２号公報
【特許文献３】特開２００２−２７９７７２号公報
【特許文献４】特開平８−２２１９５６号公報
【特許文献５】特開２００３−４５１６２号公報
【発明の開示】
【発明が解決しようとする課題】
【０００４】
ユーザは、ハードディスクに登録された曲数が膨大であるため、目的の曲、目的のアルバム、または、目的のプレイリスト（ユーザによって選択された複数の曲がまとめられた曲のリストである。ユーザがプレイリストを選択すると、このプレイリストに含まれる曲が順に再生される）の検索が困難である。
【０００５】
このため、従来技術において、再生装置には「サビ再生（ＳＣＡＮ再生）」という機能があった。サビとは、曲の山場の部分である。この機能を使用すると、再生装置は、選択された曲のサビのみを再生し、その曲の再生を終了する。その後、再生装置は、再生された曲の次の曲のサビを再生する。このように、従来の再生装置は、次々に、再生された曲の次の曲のサビを再生する。この場合に、１つの曲についての再生時間は通常の再生よりも極度に短縮されたものになる。このため、サビ再生において、ユーザは、再生された曲が目的の曲であるか否かの判断が困難であるといった問題があった。
【０００６】
また、アルバムに対してサビ再生の機能を使用すると、再生装置は全ての曲のサビを順に再生する。また、再生装置が実行する１つの曲についての再生時間は、１つの曲に対する実行と同様に、通常の再生よりも極度に短い。したがって、ユーザは目的のアルバムか否かの判断が困難であるといった問題があった。
【０００７】
本願はこのような従来技術の問題点に鑑みてなされたものである。すなわち、本発明の目的は、ユーザが短時間で目的の曲、目的のアルバム、または目的のプレイリストを判断できる再生技術を提供することである。
【課題を解決するための手段】
【０００８】
上記課題を解決するために、本発明は以下の構成を採用した。
【０００９】
（１）すなわち、本発明による再生装置は、曲データの特定再生部分を再生する特定再生モードでの再生機能を備えた再生装置において、特定再生モードで曲データを再生している際に当該曲データの再生終了位置まで再生が完了すると、当該特定再生部分を含む曲
データの曲の開始位置から再生を開始する再生開始手段を備えたことを特徴とする。
【００１０】
この構成によると、この再生装置は、曲データの特定再生部分を再生する特定再生モードでの再生機能を備えている。この再生装置は、特定再生モードで曲データを再生している際に当該曲データの再生終了位置まで再生が完了すると、当該特定再生部分を含む曲データの曲の開始位置から再生を開始する。
【００１１】
（２）また、本発明による再生装置は、曲データの特定再生部分を再生する特定再生モードでの再生機能を備えた再生装置において、特定再生モードで曲データを再生している際に当該曲データの再生終了位置まで再生が完了すると、当該曲データの次の曲データの曲の開始位置から再生を開始する再生開始手段を備えたことを特徴とする。
【００１２】
この構成によると、この再生装置は、曲データの特定再生部分を再生する特定再生モードでの再生機能を備えてもよい。この再生装置は、特定再生モードで曲データを再生している際に当該曲データの再生終了位置まで再生が完了すると、当該曲データの次の曲データの曲の開始位置から再生を開始する。
【００１３】
（３）また、本発明による再生装置は、トラックアップの操作を受け付けるトラックアップ受付手段と、前記トラックアップ受付手段によって受け付けたトラックアップの操作の回数がＮ回であるとき、Ｎ曲先の曲データを読み込むトラックアップ実行手段を更に備えてもよい。
【００１４】
この構成によると、この再生装置は、ユーザからトラックアップの操作を受け、トラックアップの操作の回数がＮ回であるとき、Ｎ曲先の曲データを読み込んでもよい。
【００１５】
（４）また、本発明に係るトラックアップ実行手段は、トラックアップ受付手段によって受け付けたトラックアップの操作の回数が曲データから曲リストで末尾方向の曲数よりも多いとき、前記曲リストの先頭を前記曲リストの最後に継続させた曲リストにおいて、トラックアップの操作の回数に対応する位置にて曲データを読み込んでもよい。
【００１６】
この構成によると、この再生装置は、トラックアップの実行として、受け付けたトラックアップの操作の回数が曲データから曲リストで末尾方向の曲数よりも多いとき、曲リストの先頭を曲リストの最後に継続させた曲リストにおいて、トラックアップの操作の回数に対応する位置にて曲データを読み込んでもよい。
【００１７】
（５）また、本発明による再生装置は、トラックダウンの操作を受け付けるトラックダウン受付手段と、前記トラックダウン受付手段によって受け付けたトラックダウンの操作の回数がＮ回であるとき、Ｎ−１曲前の曲データを読み込むトラックダウン実行手段を更に備えてもよい。
【００１８】
この構成によると、この再生装置は、ユーザからトラックダウンの操作を受け付け、受け付けたトラックダウンの操作の回数がＮ回であるとき、Ｎ−１曲前の曲データを読み込んでもよい。
【００１９】
（６）また、本発明に係るトラックダウン実行手段は、トラックダウン受付手段によって受け付けたトラックダウンの操作の回数よりも１少ない数が曲データから曲リストで先頭方向の曲数よりも多いとき、前記曲リストの最後を前記曲リストの最初に継続させた曲リストにおいて、トラックダウンの操作の回数に対応する位置にて曲データを読み込んでもよい。
【００２０】
この構成によると、この再生装置は、トラックダウンの実行として、受け付けたトラックダウンの操作の回数よりも１少ない数が曲データから曲リストで先頭方向の曲数よりも多いとき、前記曲リストの最後を前記曲リストの最初に継続させた曲リストにおいて、トラックダウンの操作の回数に対応する位置にて曲データを読み込んでもよい。
【００２１】
（７）また、本発明による再生装置は、トラックダウン受付手段によって受け付けたトラックダウンの操作の回数が１回であるとき、再生モードが特定再生モードである場合には、曲データ内の特定再生部分の開始位置に再生位置を指定し、再生モードが通常再生モードである場合には、前記曲データ内の曲の開始位置に再生位置を指定してもよい。
【００２２】
この構成によると、この再生装置は、受け付けたトラックダウンの操作の回数が１回であるとき、再生モードが特定再生モードである場合には、曲データ内の特定再生部分の開始位置に再生位置を指定し、再生モードが通常再生モードである場合には、前記曲データ内の曲の開始位置に再生位置を指定してもよい。
【００２３】
（８）また、本発明による再生装置は、ユーザから曲リストの指定を受ける一方で曲データの指定を受けていない場合において、再生モードが特定再生モードのとき、前記曲リストを読込み、前記曲リストで優先指定された曲の曲データを優先的に読み込み、再生モードが通常再生モードのとき、前記曲リストの最初の曲の曲データを読み込む曲読込制御手段をさらに備えてもよい。
【００２４】
本発明による再生装置は、ユーザから曲リストの指定を受ける一方で曲データの指定を受けていない場合において、再生モードが特定再生モードのとき、前記曲リストを読込み、前記曲リストで優先指定された曲の曲データを優先的に読み込み、再生モードが通常再生モードのとき、前記曲リストの最初の曲の曲データを読み込んでもよい。
【００２５】
本発明は、以上のような処理をコンピュータに実行させる再生プログラムであってもよい。
【発明の効果】
【００２６】
本発明によれば、ユーザが短時間で目的の曲、目的のアルバム、または目的のプレイリストを判断できる再生技術を提供できる。
【発明を実施するための最良の形態】
【００２７】
以下、図面を参照して、本発明の実施形態を説明する。以下の実施形態の構成は例示であり、本発明は実施形態の構成に限定されない。
【００２８】
《第１実施形態》
図１は、本発明の実施形態の再生装置のブロック図である。この再生装置は、音楽データメディア１、音楽データメディア１にアクセス可能なオーディオ制御部２、オーディオ制御部２に接続された入力インターフェース部４、およびオーディオ制御部２に接続されたスピーカー制御システム３を有している。
【００２９】
音楽データメディア１は、ＣＤ、ＭＤ、ＨＤＤ、メモリースティック等の記憶媒体である。この記憶媒体には、音楽データ（曲データ、曲データが複数連なったプレイリスト）が格納されている。ここで、曲データとは、所定の形式で音、音声、音楽を記録したデータをいい、その形式に対応する再生プログラム（以下、単にプログラムという）によって、コンピュータ上で再生可能なものをいう。ここで、曲リストとは、ＣＤ等の音楽データメディア１に記憶されている複数の曲データを紐付けるデータである。音楽データメディア１に記憶されている複数の曲データには、通常ＣＤとして販売されるアルバム、ユーザ
の好みで集められた曲の集まり等がある。
【００３０】
オーディオ制御部２には、曲データやプレイリストを処理するためのＣＰＵ（図示せず）とメモリ（図示せず）とが備えられている。メモリには、曲データやプレイリストを処理するためのプログラムが備えられている。また、メモリは、ＣＰＵがメモリに備えるプログラムを実行する際の一時的なデータの格納に使用される。ＣＰＵは、メモリが備えるプログラムを実行する。このプログラムの実行によって、オーディオ制御部２は、この再生装置を制御する。
【００３１】
オーディオ制御部２は、入力インターフェース部４からの入力、または、プログラムに基づいて、音楽データメディア１から曲データを読み込む。オーディオ制御部２は、曲データの再生の際、読み込まれた曲データにセットされた再生位置に応じた信号をスピーカー制御システム３に送る。ここで、再生位置は、曲データを再生する際の再生するデータの箇所を指定する情報である。
【００３２】
入力インターフェース部４は、入力インターフェース部４が備えるボタン等（図示せず）を通じてユーザの操作を検出し、再生モード、電源の投入、曲の再生、停止、一時停止、トラックアップ（数曲先の曲の再生）、トラックダウン（数曲前の曲の再生）等の指定を受ける。再生モードには、サビ再生モードと通常再生モードとがある。入力インターフェース部４は、これらの指定をオーディオ制御部２に送る。
【００３３】
スピーカー制御システム３は、オーディオ制御部２からの信号に基づいて、オーディオ制御部２が備えるスピーカー（図示せず）から送出する音を制御する。
【００３４】
＜曲データの構成例＞
図２は、本実施形態に係る曲データの構成例である。図２では、曲データの例として、曲データ５〜７が示されている。曲データ５〜７は、それぞれ、ヘッダ部と曲データ部とを含む。また、曲データ部には、サビデータ部が含まれる。曲データ５〜７には、曲データの一部を指定するための番地がそれぞれ割り振られている。この番地は、データ長に基づいて割り振られている。したがって、曲データ部において、番地間のデータ長は、再生時間に関係する。
【００３５】
曲データ部のデータは、スピーカー制御システム３によってスピーカーから出力される音のデータである。曲データ部のデータは、サビデータ部のデータを含んでいる。曲データ部の中のサビデータ部を除いた部分が本発明の通常再生部分に相当する。サビデータ部のデータは、曲のサビの部分、すなわち、曲の山場の部分を示す音のデータである。サビデータ部が本発明の特定再生部分に相当する。ヘッダ部のデータや曲データ部内でのサビデータ部の位置は、業者によって付与される。
【００３６】
ヘッダ部のデータは、この再生装置の制御に使用される。ヘッダ部のデータには、従来の曲データのヘッダ情報が含まれている。更に、ヘッダ部のデータには、曲データ部内のデータの開始位置を指定するための「曲データ先頭番地」及び曲データ部のデータの終了位置を指定するための「曲データ終了番地」が含まれている。更に、ヘッダ部のデータには、サビデータ部のデータの開始位置を指定するための「サビデータ先頭番地」及びサビデータ部のデータの終了位置を指定するための「サビデータ終了番地」が含まれている。
【００３７】
曲データの構成例として、図２に基づいて、曲データ５について説明する。曲データ５では、Ａ１番地〜Ｂ１番地までのデータがヘッダ部のデータに割り当てられている。曲データ５では、Ｂ１番地が曲データ先頭番地である。曲データ５では、Ｂ１番地〜Ｈ１番地までのデータが曲データ部のデータに割り当てられている。曲データ５では、Ｄ１番地が
サビデータ先頭番地である。曲データ５では、Ｄ１番地〜Ｆ１番地までのデータが曲データ部のデータに割り当てられている。曲データ５では、Ｆ１番地がサビデータ終了番地である。曲データ５では、Ｈ１番地が曲データ終了番地である。
【００３８】
＜プレイリストの構成例＞
図３は、本実施形態に係るプレイリストの構成例である。図３では、プレイリストの例として、プレイリスト８が示されている。プレイリストは１以上の曲を含む。図３に示す例では、プレイリスト８は、３つの曲データと第２ヘッダ部とを含む。
【００３９】
プレイリスト８は、例えば、業者によって作成され、アルバムとしてＣＤ等の記憶媒体に記憶されている。また、プレイリスト８は、ユーザが好みの曲の曲データを複数集め、編集することによって作成されたものでもよい。
【００４０】
第２ヘッダ部には、プレイリスト８に含まれている曲データの情報が含まれている。例えば、第２ヘッダ部には、プレイリスト８に含まれている曲数の情報が含まれている。また、第２ヘッダ部には、プレイリスト８に含まれている曲データの中で最も知名度の高い曲（代表曲）の曲データを指定する情報が含まれていてもよい。この情報により、この再生装置は、ユーザがプレイリスト８のみを指定し、曲データを指定していない場合に、プレイリスト８を読込み、プレイリスト８で指定されている曲を優先的に読み込むことができる。
【００４１】
再生装置は、再生位置がプレイリストに含まれる曲データのＡ番地を通り過ぎる数をカウントする。Ａ番地は、上述のように曲データごとのヘッダが格納される位置を示す。図では、個々の曲データごとにＡ番地をＡ１番地〜Ａ３番地で区別して示した。また、これら各Ａ１番地〜Ａ３番地を総称してＡ番地として示した。再生装置は、カウントした数を利用することにより、プレイリスト８の中から、再生対象の曲を再生できる。
【００４２】
＜第１実施例＞
以下、本発明の第１実施例の再生装置の動作を図４に基づいて説明する。第１実施例の再生装置の処理は、オーディオ制御部２が備えるメモリに格納されているプログラムをオーディオ制御部２が備えるＣＰＵが実行することによって行なわれる。オーディオ制御部２が本発明のコンピュータに相当する。また、この実施例において、図２に示される曲データ５，６，７及び図３に示されるプレイリスト８を説明に使用する。そして、曲データ５，６，７がプレイリスト８の１曲目から３曲目としてプレイリスト８に順に格納されている場合を考える。
【００４３】
まず、ユーザによって、この再生装置の電源が投入される。次に、オーディオ制御部２は、入力インターフェース部４から再生モードが通常再生モードかサビ再生モードかの指定を受ける。通常再生モードが本発明に係る通常再生モードに相当する。また、サビ再生モードが本発明に係る特定再生モードに相当する。オーディオ制御部２は、入力インターフェース部４から曲の選択の指定を受ける。例えば、ユーザによって１曲目が指定されるとする。すると、オーディオ制御部２は、プレイリスト８の曲データ５を指定する。オーディオ制御部２は、指定を受けた曲の曲データを音楽データメディア１から読み込む。音楽データメディア１が本発明の記憶媒体に相当する。また、例えば、プレイリスト８が前記のように構成されているため、１曲目の次の曲（２曲目）は曲データ６、３曲目は曲データ７となる。オーディオ制御部２は、読み込まれた曲データをオーディオ制御部２が備えるメモリのバッファに格納する（Ｓ１）。
【００４４】
オーディオ制御部２は、再生モードが通常再生モードの場合（Ｓ２；ＹＥＳ）、ステップＳ３の処理に進む。オーディオ制御部２は、再生モードがサビ再生モードの場合（Ｓ２
；ＮＯ）、ステップＳ４の処理に進む。
【００４５】
ステップＳ３の処理では、オーディオ制御部２は、ヘッダ部に記憶されている曲データ先頭番地を再生位置にセットする（Ｓ３）。オーディオ制御部２は、ステップＳ３の処理の後、ステップＳ５の処理に進む。
【００４６】
ステップＳ４の処理では、オーディオ制御部２は、ヘッダ部に記憶されているサビデータ先頭番地を再生位置にセットする（Ｓ４）。オーディオ制御部２は、ステップＳ４の処理の後、ステップＳ５の処理に進む。
【００４７】
ステップＳ５の処理では、曲データに基づく曲の再生を実行する。その際、オーディオ制御部２は、再生位置がセットされている部分に基づいて信号をスピーカー制御システム３に出力する。スピーカー制御システム３は、オーディオ制御部２からの信号に応じて、音を出力する。オーディオ制御部２は、再生位置を曲データ終了番地の方向に所定の速度で進ませる。ステップＳ５の処理の後、オーディオ制御部２は、ステップＳ６の処理に進む。
【００４８】
ステップＳ６の処理では、オーディオ制御部２は、曲データに基づく曲の再生の際、入力インターフェース部４を通じてトラックアップまたはトラックダウンの操作がされたか否かを判定する。また、オーディオ制御部２は、トラックアップまたはトラックダウンの操作がされたと判定された場合には、それらの操作が何回されたかを記憶する。オーディオ制御部２が本発明のトラックアップ受付手段に相当する。また、オーディオ制御部２が本発明のトラックダウン受付手段に相当する。オーディオ制御部２は、トラックアップまたはトラックダウンの操作がされたと判定する（Ｓ６；ＹＥＳ）と、ステップＳ９の処理に進む。オーディオ制御部２は、トラックアップまたはトラックダウンの操作がされていないと判定する（Ｓ６；ＮＯ）と、ステップＳ７の処理に進む。
【００４９】
ステップＳ７の処理では、オーディオ制御部２は、再生位置が曲データ終了番地に到達したか否かを判定する（Ｓ７）。オーディオ制御部２は、再生位置が曲データ終了番地に到達したと判定する（Ｓ７；ＹＥＳ）と、ステップＳ８の処理に進む。オーディオ制御部２は、再生位置が曲データ終了番地に到達していないと判定する（Ｓ７；ＮＯ）と、ステップＳ５の処理に戻る。
【００５０】
ステップＳ８の処理では、オーディオ制御部２は、再生モードとしてサビ再生モードがセットされている場合には、同じトラックが再生されるよう、再生されていた曲データの曲データ先頭番地に再生位置をセットする（Ｓ８）。ステップＳ８の処理では、オーディオ制御部２は、再生モードとして通常再生モードがセットされている場合には、再生されていた曲の次の曲の曲データを音楽データメディア１から読み込む。そして、オーディオ制御部２は、読み込まれた曲データの曲データ先頭番地に再生位置をセットする（Ｓ８）。ステップＳ８の処理の後、オーディオ制御部２は、ステップＳ５の処理に戻る。
【００５１】
ステップＳ９の処理では、オーディオ制御部２は、トラックアップの操作がＮ回された際には、Ｎ曲先の曲データをバッファに読み込む。オーディオ制御部２が本発明のトラックアップ実行手段に相当する。また、オーディオ制御部２は、トラックアップが操作された回数が、再生中の曲データから先の曲数よりも多いとき、再生中の曲データが属するプレイリストの最初の曲から先の曲の曲データを再生中の曲が属するプレイリストの最後の曲の先の曲データとして、トラックアップが操作された回数を扱う。すなわち、オーディオ制御部２は、トラックアップが操作された回数が、再生中の曲データから先の曲数よりも多いとき、プレイリストの先頭をこのプレイリストの最後に継続させたプレイリストにおいて、トラックアップの操作の回数に対応する位置にて、曲データを読み込むよう制御
する。
【００５２】
また、ステップＳ９の処理では、オーディオ制御部２は、トラックダウンの操作がＮ回された際には、Ｎ−１曲前の曲データをバッファに読み込む。オーディオ制御部２が本発明のトラックダウン実行手段に相当する。また、オーディオ制御部２は、トラックダウンが操作された回数よりも１少ない数が、再生中の曲データから前の曲数よりも多いとき、再生中の曲データが属するプレイリストの最後の曲から前の曲の曲データを再生中の曲が属するプレイリストの最初の曲の前の曲データとして、トラックダウンが操作された回数を扱う。すなわち、オーディオ制御部２は、トラックダウンが操作された回数よりも１少ない数が、再生中の曲データから前の曲数よりも多いとき、プレイリストの最後をこのプレイリストの最初に継続させた曲リストにおいて、トラックダウンの操作の回数に対応する位置にて、曲データを読み込むよう制御する。
【００５３】
図３を例にして、上記のステップＳ９の処理を説明する。図３で示されるプレイリスト８の１曲目がオーディオ制御部２によって選択されているとする。次に、オーディオ制御部２に対して、トラックダウンの操作が２回されたとする。すると、オーディオ制御部２は、プレイリスト８の３曲目の曲データを読み込むよう制御する。
【００５４】
また、ステップＳ９の処理では、オーディオ制御部２は、トラックダウンが１回操作された際には、再生されていた曲を再び再生する指定となる。すなわち、オーディオ制御部２は、再生モードがサビ再生モードの場合には、既に読み込まれている曲データのサビデータ再生番地に再生位置をセットする。オーディオ制御部２は、再生モードが通常再生モードの場合には、既に読み込まれている曲データの曲データ再生番地に再生位置をセットする。ステップＳ９の処理の後、オーディオ制御部２は、ステップＳ２の処理に戻る。
【００５５】
このようにして、この再生装置は、再生モードとしてサビ再生モードが選択され、トラックアップまたはトラックダウンの操作がされると、その操作に応じた曲データのサビデータ再生番地から再生を実行する。
【００５６】
このようにして、この再生装置は、ユーザから再生モードの変更、トラックアップまたはトラックダウンの操作の指示があるまで、次の曲を再生せず、同じ曲の再生を繰り返す。
【００５７】
このようにして、この再生装置は、サビ再生モードにおいて、曲データ部内のデータをサビデータ部内のデータに加えて再生する。したがって、ユーザは、サビデータ部内のデータと曲データ部内のデータとを判断材料にして、目的の曲、目的のアルバム、または目的のプレイリストを検索できる。
【００５８】
＜第１実施例に基づくサビ再生モードでの曲データの処理の説明＞
次に、図１及び図３に基づいて、第１実施例の再生装置によって、プレイリストや曲データが処理される詳細手順を説明する。ここで説明する処理は、第１実施例のステップＳ５〜Ｓ９における処理に相当する。また、この動作例において、図１に示される曲データ５，６，７及び図３に示されるプレイリスト８を説明に使用する。そして、曲データ５，６，７がプレイリスト８の１曲目から３曲目としてプレイリスト８に順に格納されている場合を考える。
【００５９】
再生装置に再生モードとしてサビ再生モードがセットされて再生が開始された場合を考える。まず、この再生装置は、ヘッダ部に含まれている「サビデータ先頭番地」及び「サビデータ終了番地」をチェックする。この再生装置は、曲データの先頭番地から再生するのではなく、「サビデータ開始番地」から再生を実行する。この再生装置は、再生モード
の変更、トラックアップの操作、またはトラックダウンの操作がないとき、１曲目（曲データ５）から、以下のように、Ｄ１番地、Ｅ１番地、Ｆ１番地、…、の順に再生処理を実行する。すなわち、１曲目について、Ｄ１−＞Ｅ１−＞Ｆ１−＞Ｇ１−＞Ｈ１−＞Ｂ１−＞Ｃ１−＞Ｄ１−＞…（以下、この再生装置は、再生モードの変更、トラックアップまたはトラックダウンの操作があるまで１曲目の再生を繰り返す）。
【００６０】
次に、この再生装置に対して、１曲目をサビ再生モードで再生中に、トラックアップの操作が１回実行された場合を考える。１曲目のＥ１番地〜Ｆ１番地の間の再生中に、このトラックアップの操作がされたとする。すると、この再生装置は、次の曲のサビデータ先頭番地から再生を実行する。この再生装置は、曲データ５及び曲データ６を以下のように処理する。（１曲目）Ｄ１−＞Ｅ１−＞（トラックアップ）−＞（２曲目）Ｅ２−＞Ｆ２−＞Ｇ２−＞Ｈ２−＞Ｂ２−＞Ｃ２−＞Ｄ２−＞Ｅ２−＞…（以下、この再生装置は、再生モードの変更、トラックアップまたはトラックダウンの操作があるまで２曲目の再生を繰り返す）。
【００６１】
この再生装置に対して、１曲目をサビ再生モードで再生中に、トラックアップの操作が２回実行された場合を考える。１曲目のＥ１番地〜Ｆ１番地の間の再生中に、このトラックアップの操作がされたとする。すると、この再生装置は、３曲目のサビデータ先頭番地から再生を実行する。この再生装置は、曲データ５及び曲データ７を以下のように処理する。（１曲目）Ｄ１−＞Ｅ１−＞（トラックアップ）−＞（３曲目）Ｃ３−＞Ｄ３−＞Ｅ３−＞Ｆ３−＞Ｂ３−＞Ｃ３−＞…（以下、この再生装置は、再生モードの変更、トラックアップまたはトラックダウンの操作があるまで３曲目の再生を繰り返す）。
【００６２】
この再生装置に対して、３曲目をサビ再生モードで再生中に、トラックダウンの操作が１回実行された場合を考える。３曲目のＥ３番地〜Ｆ３番地の間の再生中に、このトラックダウンの操作がされたとする。すると、この再生装置は、現在再生中の曲のサビデータ先頭番地から再生を実行する。この再生装置は、曲データ７を以下のように処理する。（３曲目）Ｃ３−＞Ｄ３−＞Ｅ３−＞Ｆ３−＞（トラックダウン）−＞（３曲目）Ｃ３−＞Ｄ３−＞Ｅ３−＞Ｆ３−＞Ｂ３−＞Ｃ３−＞…（以下、この再生装置は、再生モードの変更、トラックアップまたはトラックダウンの操作があるまで３曲目の再生を繰り返す）。
【００６３】
この再生装置に対して、３曲目をサビ再生モードで再生中に、トラックダウンの操作が２回実行された場合を考える。３曲目のＥ３番地〜Ｆ３番地の間の再生中に、このトラックダウンの操作がされたとする。すると、この再生装置は、現在再生中の曲（プレイリスト８で３曲目の曲データ７）のサビデータ先頭番地からの再生を実行する。この再生装置は、曲データ６及び曲データ７を以下のように処理する。（３曲目）Ｃ３−＞Ｄ３−＞Ｅ３−＞Ｆ３−＞（トラックダウン）−＞（２曲目）Ｅ２−＞Ｆ２−＞Ｇ２−＞Ｈ２−＞Ｂ２−＞Ｃ２−＞Ｄ２−＞Ｅ２−＞…（以下、この再生装置は、再生モードの変更、トラックアップまたはトラックダウンの操作があるまで２曲目の再生を繰り返す）。
【００６４】
曲データ５〜７を全３曲のプレイリストとした場合を考える。３曲目をサビ再生モードで再生中に、３曲目のＥ３番地〜Ｆ３番地の間の再生中にトラックアップの操作が１回実行されたとする。すると、この再生装置は、１曲目のサビデータ先頭部から再生を実行する。この再生装置は、プレイリストを以下のように処理する。（３曲目）Ｃ３−＞Ｄ３−＞Ｅ３−＞Ｆ３−＞（トラックダウン）−＞（１曲目）Ｄ１−＞Ｅ１−＞Ｆ１−＞Ｇ１−＞Ｈ１−＞Ｂ１−＞Ｃ１−＞Ｄ１−＞…（以下、この再生装置は、再生モードの変更、トラックアップまたはトラックダウンの操作があるまで１曲目の再生を繰り返す）。
【００６５】
曲データ５〜７を全３曲のプレイリストとした場合を考える。１曲目をサビ再生モードで再生中に、１曲目のＥ１番地〜Ｆ１番地の間の再生中にトラックダウンの操作が１回実
行されたとする。すると、次に、この再生装置は、３曲目のサビデータ先頭部から再生を実行する。この再生装置は、プレイリストを以下のように処理する。（１曲目）Ｄ１−＞Ｅ１−＞（トラックダウン）−＞（３曲目）Ｃ３−＞Ｄ３−＞Ｅ３−＞Ｆ３−＞Ｂ３−＞Ｃ３−＞…（以下、この再生装置は、再生モードの変更、トラックアップまたはトラックダウンの操作があるまで３曲目の再生を繰り返す）。
【００６６】
＜第２実施例＞
以下、本発明の第２実施例の再生装置の動作を図５に基づいて説明する。第１実施例では、再生モードにサビ再生モードが指定されているとき、再生装置は、読み込まれた曲データを繰り返し再生する。一方で、第２実施例では、再生モードにサビ再生モードが指定されているとき、再生装置は、再生位置がサビデータ終了番地に到達すると、再生モードをサビ再生モードから通常再生モードに変更する。
【００６７】
第２実施例の再生装置の処理は、オーディオ制御部２が備えるメモリに格納されているプログラムをオーディオ制御部２が備えるＣＰＵが実行することによって行なわれる。オーディオ制御部２が本発明のコンピュータに相当する。また、この実施例において、図２に示される曲データ５，６，７及び図３に示されるプレイリスト８を説明に使用する。そして、曲データ５，６，７がプレイリスト８の１曲目から３曲目としてプレイリスト８に順に格納されている場合を考える。
【００６８】
まず、ユーザによって、この再生装置の電源が投入される。次に、オーディオ制御部２は、入力インターフェース部４から再生モードが通常再生モードかサビ再生モードかの指定を受ける。オーディオ制御部２は、入力インターフェース部４から曲の選択の指定を受ける。また、オーディオ制御部２は、指定を受けた曲の曲データを音楽データメディア１から読み込む。音楽データメディア１が本発明の記憶媒体に相当する。オーディオ制御部２は、読み込まれた曲データをオーディオ制御部２が備えるメモリのバッファに格納する（Ｓ１０）。
【００６９】
オーディオ制御部２は、再生モードが通常再生モードの場合（Ｓ１１；ＹＥＳ）、ステップＳ１２の処理に進む。オーディオ制御部２は、再生モードがサビ再生モードの場合（Ｓ１１；ＮＯ）、ステップＳ１３の処理に進む。
【００７０】
ステップＳ１２の処理では、オーディオ制御部２は、ヘッダ部に記憶されている曲データ先頭番地を再生位置にセットする（Ｓ１２）。オーディオ制御部２は、ステップＳ１２の処理の後、ステップＳ１４の処理に進む。
【００７１】
ステップＳ１３の処理では、オーディオ制御部２は、ヘッダ部に記憶されているサビデータ先頭番地を再生位置にセットする（Ｓ１３）。オーディオ制御部２は、ステップＳ１３の処理の後、ステップＳ１４の処理に進む。
【００７２】
ステップＳ１４の処理では、曲データに基づく曲の再生を実行する。その際、オーディオ制御部２は、再生位置がセットされている部分に基づいて信号をスピーカー制御システム３に出力する。スピーカー制御システム３は、オーディオ制御部２からの信号に応じて、音を出力する。オーディオ制御部２は、再生位置を曲データ終了番地の方向に所定の速度で進ませる。ステップＳ１４の処理の後、オーディオ制御部２は、ステップＳ１５の処理に進む。
【００７３】
ステップＳ１５の処理では、オーディオ制御部２は、曲データに基づく曲の再生の際、入力インターフェース部４を通じてトラックアップまたはトラックダウンの操作がされたか否かを判定する。また、オーディオ制御部２は、トラックアップまたはトラックダウン
の操作がされたと判定された場合には、それらの操作が何回されたかを記憶する。オーディオ制御部２が本発明のトラックアップ受付手段に相当する。オーディオ制御部２が本発明のトラックダウン受付手段に相当する。オーディオ制御部２は、トラックアップまたはトラックダウンの操作がされたと判定する（Ｓ１５；ＹＥＳ）と、ステップＳ２０の処理に進む。オーディオ制御部２は、トラックアップまたはトラックダウンの操作がされていないと判定する（Ｓ１５；ＮＯ）と、ステップＳ１６の処理に進む。
【００７４】
ステップＳ１６の処理では、オーディオ制御部２は、サビ再生モードが選択されている場合に、再生位置がサビデータ終端番地に到達したか否かを判定する（Ｓ１６）。オーディオ制御部２は、再生位置がサビデータ終端番地に到達したと判定する（Ｓ１６；ＹＥＳ）と、ステップＳ１７の処理に進む。オーディオ制御部２は、再生位置がサビデータ終端番地に到達していないと判定する（Ｓ１６；ＮＯ）と、ステップＳ１８の処理に進む。また、オーディオ制御部２は、通常再生モードが選択されている場合、ステップＳ１６の処理を実行せず、ステップＳ１８の処理に進む。
【００７５】
ステップＳ１７の処理では、オーディオ制御部２は、再生モードをサビ再生モードから通常再生モードに変更する。オーディオ制御部２は、ステップＳ１７の処理の後、ステップＳ１８の処理に進む。
【００７６】
ステップＳ１８の処理では、オーディオ制御部２は、再生位置が曲データ終了番地に到達したか否かを判定する（Ｓ１８）。オーディオ制御部２は、再生位置が曲データ終了番地に到達したと判定する（Ｓ１８；ＹＥＳ）と、ステップＳ１９の処理に進む。オーディオ制御部２は、再生位置が曲データ終了番地に到達していないと判定する（Ｓ１８；ＮＯ）と、ステップＳ１４の処理に戻る。
【００７７】
ステップＳ１９の処理では、オーディオ制御部２は、再生されていた曲の次の曲の曲データをバッファに読み込む。そして、オーディオ制御部２は、次の曲の曲データのヘッダ部に記憶されているデータに基づいて、再生位置を曲データ先頭番地にセットする（Ｓ１９）。ステップＳ１９の処理の後、オーディオ制御部２は、ステップＳ１１の処理に戻る。
【００７８】
ステップＳ２０の処理では、オーディオ制御部２は、トラックアップの操作がＮ回された際には、Ｎ曲先の曲データをバッファに読み込む。オーディオ制御部２が本発明のトラックアップ実行手段に相当する。また、オーディオ制御部２は、トラックアップが操作された回数が、再生中の曲データから先の曲数よりも多いとき、再生中の曲データが属するプレイリストの最初の曲から先の曲の曲データを再生中の曲が属するプレイリストの最後の曲の先の曲データとして、トラックアップが操作された回数を扱う。すなわち、オーディオ制御部２は、トラックアップが操作された回数が、再生中の曲データから先の曲数よりも多いとき、プレイリストの先頭をこのプレイリストの最後に継続させたプレイリストにおいて、トラックアップの操作の回数に対応する位置にて、曲データを読み込むよう制御する。
【００７９】
また、ステップＳ２０の処理では、オーディオ制御部２は、トラックダウンの操作がＮ回された際には、Ｎ−１曲前の曲データをバッファに読み込む。オーディオ制御部２が本発明のトラックダウン実行手段に相当する。また、オーディオ制御部２は、トラックダウンが操作された回数よりも１少ない数が、再生中の曲データから前の曲数よりも多いとき、再生中の曲データが属するプレイリストの最後の曲から前の曲の曲データを再生中の曲が属するプレイリストの最初の曲の前の曲データとして、トラックダウンが操作された回数を扱う。すなわち、オーディオ制御部２は、トラックダウンが操作された回数よりも１少ない数が、再生中の曲データから前の曲数よりも多いとき、プレイリストの最後をこの
プレイリストの最初に継続させた曲リストにおいて、トラックダウンの操作の回数に対応する位置にて、曲データを読み込むよう制御する。
【００８０】
また、ステップＳ２０の処理では、オーディオ制御部２は、トラックダウンが１回操作された際には、再生されていた曲を再び再生する指定となる。すなわち、オーディオ制御部２は、再生モードがサビ再生モードの場合には、既に読み込まれている曲データのサビデータ再生番地に再生位置をセットする。オーディオ制御部２は、再生モードが通常再生モードの場合には、既に読み込まれている曲データの曲データ再生番地に再生位置をセットする。ステップＳ２０の処理の後、オーディオ制御部２は、ステップＳ１１の処理に戻る。
【００８１】
このようにして、この再生装置は、サビ再生モードが選択され、再生位置がサビデータ部にあるとき、トラックアップまたはトラックダウンの操作がされると、その操作に応じた曲データのサビデータ再生番地から再生を実行する。また、この再生装置は、サビ再生モードが選択され、データ再生装置がサビデータ部にあるとき、トラックアップまたはトラックダウンの操作がされないと、サビ再生モードを通常再生モードに変更する。すなわち、この再生装置は、次の曲を再生する。
【００８２】
このようにして、この再生装置は、サビ再生モードにおいて、曲データ部内のデータをサビデータ部内のデータに加えて再生する。したがって、ユーザは、サビデータ部内のデータと曲データ部内のデータとを判断材料にして、目的の曲、目的のアルバム、または目的のプレイリストを検索できる。
【００８３】
＜第２実施例に基づくサビ再生モードでの曲データの処理の説明＞
次に、図１及び図３に基づいて、第２実施例の再生装置によって、プレイリストや曲データが処理される詳細手順を説明する。ここで説明する処理は、ステップＳ１４〜Ｓ１９における処理に相当する。また、この動作例において、図１に示される曲データ５，６，７及び図３に示されるプレイリスト８を説明に使用する。そして、曲データ５，６，７がプレイリスト８の１曲目から３曲目としてプレイリスト８に順に格納されている場合を考える。
【００８４】
サビ再生モードで再生が開始された場合を考える。まず、この再生装置は、ヘッダ部に含まれている「サビデータ先頭番地」及び「サビデータ終了番地」をチェックする。この再生装置は、曲データの先頭番地から再生するのではなく、「サビデータ開始番地」から再生を実行する。この再生装置は、「サビデータ部」を再生中にトラックアップまたはトラックダウンの操作があるとき、その操作に応じた曲のサビデータ先頭部から再生を実行する。この再生装置は、サビデータ部再生中にトラックアップまたはトラックダウンの操作が検出されないとき、サビ再生モードから通常再生モードに変更する。そして、この再生装置は、通常再生モードで曲データに応じた音を再生する。この再生装置は、曲データ５及び曲データ６を以下のように処理する。（１曲目）Ｄ１−＞Ｅ１−＞Ｆ１−＞（通常再生モードに変更）−＞Ｇ１−＞Ｈ１−＞（２曲目）Ｂ２−＞Ｃ２−＞Ｄ２−＞…（以下、この再生装置は、再生位置が曲データ終了番地に達すると次の曲の先頭から再生する）。
【００８５】
この再生装置に対して、１曲目をサビ再生モードで再生中に、Ｄ１番地〜Ｆ１番地の間にトラックアップの操作が１回実行された場合を考える。Ｅ１番地〜Ｆ１番地の間の再生中に、このトラックアップの操作が実行されたとする。すると、この再生装置は、次の曲のサビデータ先頭番地から再生を実行する。この再生装置は、曲データ５，１０，１１を以下のように処理する。（１曲目）Ｄ１−＞Ｅ１−＞（トラックアップ）−＞（２曲目）Ｅ２−＞Ｆ２−＞Ｇ２−＞（通常再生モードに変更）−＞Ｈ２−＞（３曲目）Ｂ３−＞Ｃ
３−＞Ｄ３−＞Ｅ３−＞…（以下、この再生装置は、再生位置が曲データ終了番地に達すると次の曲の先頭から再生する）。
【００８６】
この再生装置に対して、１曲目をサビ再生モードで再生中に、Ｆ１番地〜Ｈ１番地の間の再生中に、このトラックアップの操作が一回実行された場合を考える。Ｅ１番地〜Ｆ１番地の間の再生中に、このトラックダウンの操作が実行されたとする。すると、この再生装置は、次の曲の曲データ先頭番地から再生を実行する。この再生装置は、曲データ５，１０，１１を以下のように処理する。（１曲目）Ｄ１−＞Ｅ１−＞Ｆ１−＞（通常再生モードに変更）−＞Ｇ１−＞（トラックアップ）−＞（２曲目）Ｂ２−＞Ｃ２−＞Ｄ２−＞Ｅ２−＞Ｆ２−＞Ｇ２−＞Ｈ２−＞（３曲目）Ｂ３−＞Ｃ３−＞Ｄ３−＞Ｅ３−＞…（以下、この再生装置は、再生位置が曲データ終了番地に達すると次の曲の先頭から再生する）。
【００８７】
この再生装置に対して、１曲目をサビ再生モードで再生中に、Ｄ１番地〜Ｆ１番地の間にトラックダウンの操作が１回実行された場合を考える。Ｅ１番地〜Ｆ１番地の間の再生中に、このトラックダウンの操作が実行されたとする。すると、この再生装置は、現在再生中の曲のサビデータ先頭番地から再生を実行する。この再生装置は、曲データ５，６を以下のように処理する。（１曲目）Ｄ１−＞Ｅ１−＞（トラックダウン）−＞（１曲目）Ｄ１−＞Ｅ１−＞Ｆ１−＞（通常再生モードに変更）−＞Ｇ１−＞Ｈ１−＞（２曲目）Ｂ２−＞Ｃ２−＞Ｄ２−＞Ｅ２−＞…（以下、この再生装置は、再生位置が曲データ終了番地に達すると次の曲の先頭から再生する）。
【００８８】
この再生装置に対して、１曲目をサビ再生モードで再生中に、サビデータ部再生終了後（Ｆ番地の再生以降）にトラックダウンの操作が１回実行された場合を考える。Ｇ１番地〜Ｈ１番地の間の再生中に、このトラックダウンの操作が実行されたとする。すると、この再生装置は、曲データ５，６を以下のように処理する。（１曲目）Ｄ１−＞Ｅ１−＞Ｆ１−＞（通常再生モードに変更）−＞Ｇ１−＞（トラックダウン）−＞（１曲目）Ｂ１−＞Ｃ１−＞Ｄ１−＞Ｅ１−＞Ｆ１−＞Ｇ１−＞Ｈ１−＞（２曲目）Ｂ２−＞Ｃ２−＞Ｄ２−＞Ｅ２−＞…（以下、この再生装置は、再生位置が曲データ終了番地に達すると次の曲の先頭から再生する）。
【００８９】
（変形例）
以下、本発明の変形例の再生装置の動作を図６に基づいて説明する。変形例の再生装置の処理は、オーディオ制御部２が備えるメモリに格納されているプログラムをオーディオ制御部２が備えるＣＰＵが実行することによって行なわれる。オーディオ制御部２が本発明のコンピュータに相当する。
【００９０】
まず、ユーザによって、この再生装置の電源が投入される。次に、オーディオ制御部２は、入力インターフェース部４から再生モードが通常再生モードかサビ再生モードかの指定を受ける。また、オーディオ制御部２は、入力インターフェースからプレイリストの選択の指定を受ける。
【００９１】
オーディオ制御部２は、指定された再生モードがサビ再生モードと判定する（Ｓ２１；ＹＥＳ）と、ステップＳ２２の処理に進む。オーディオ制御部２は、指定された再生モードが通常再生モードと判定する（Ｓ２１；ＮＯ）と、ステップＳ２３の処理に進む。
【００９２】
ステップＳ２２の処理では、オーディオ制御部２は、音楽データメディア１から指定されたプレイリストの第２ヘッダ部を読み込む。次に、オーディオ制御部２は、音楽データメディア１から第２ヘッダ部で指定されている曲の曲データを読み込む。第２ヘッダ部で指定される曲としては、例えば、そのプレイリスト内での最も知名度の高い曲（代表曲）
がある。オーディオ制御部２は、読み込まれた曲データをオーディオ制御部２が備えるメモリのバッファに格納する（Ｓ２２）。オーディオ制御部２は、ステップＳ２２の処理の後、ステップＳ２の処理に進む。
【００９３】
ステップＳ２３の処理では、オーディオ制御部２は、指定されたプレイリスト内の最初の曲を音楽データメディア１から読み込む。オーディオ制御部２は、読み込まれた曲データをオーディオ制御部２が備えるメモリのバッファに格納する（Ｓ２３）。オーディオ制御部２は、ステップＳ２３の処理の後、ステップＳ２の処理に進む。
【００９４】
ステップＳ２２またはＳ２３の処理を実行するオーディオ制御部２が本発明の曲読込制御手段に相当する。
【００９５】
このようにして、この再生装置は、再生モードとしてサビ再生モードが指定された場合、ユーザによって指定されたプレイリストの中から、最も知名度の高い曲（代表曲）を優先的にサビ再生の機能の対象とすることができる。この再生装置は、再生モードとして通常再生モードが指定された場合、ユーザによって指定されたプレイリストの中の最初の曲を指定できる。この再生装置は、このようにして、再生モードによって異なる曲を読み込む。
【００９６】
この再生装置は、読み込まれた曲に対して第１実施例で示される処理を実行する。すなわち、この再生装置は、読み込まれた曲の再生が終了するとき、読み込まれた曲の最初から再生する。したがって、ユーザは、サビ再生モードを指定した場合、プレイリストの中の最も知名度の高い曲（代表曲）のサビを優先的に聴き、この曲を繰り返し聴くことにより、目的の曲、目的のアルバム、または目的のプレイリストを判断できる。
【００９７】
また、図７に示されるように、この再生装置は、図６に示される処理と同様のステップＳ２２またはＳ２３の処理を実行してもよい。以下、図６に示される処理と同様の処理については、図７に同じ符号を付すことによって説明を省略する。
【００９８】
図７に示される処理において、この再生装置は、ステップＳ２２またはステップＳ２３の処理の後、ステップＳ１１の処理に進む。
【００９９】
このようにして、この再生装置は、再生モードとしてサビ再生モードが指定された場合、ユーザによって指定されたプレイリストの中から、最も知名度の高い曲（代表曲）を優先的にサビ再生の機能の対象とすることができる。この再生装置は、再生モードとして通常再生モードが指定された場合、ユーザによって指定されたプレイリストの中の最初の曲を指定できる。この再生装置は、このようにして、再生モードによって異なる曲を読み込む。
【０１００】
この再生装置は、読み込まれた曲に対して第２実施例で示される処理を実行する。すなわち、この再生装置は、読み込まれた曲のサビの部分の再生が終了するとき、再生モードをサビ再生モードから通常再生モードに変更する。したがって、ユーザは、サビ再生モードを指定した場合、プレイリストの中の最も知名度の高い曲（代表曲）のサビを優先的に聴き、この曲の次の曲からは通常再生モードで曲を聴くことにより、目的の曲、目的のアルバム、または目的のプレイリストを判断できる。
【図面の簡単な説明】
【０１０１】
【図１】本発明の実施形態の再生装置の構成を示すブロック図である。
【図２】本発明の実施形態に係る曲データの構成例を示す図である。
【図３】本発明の実施形態に係るプレイリストの構成例を示す図である。
【図４】本発明の第１実施例に係る再生装置の処理を示すフローチャートである。
【図５】本発明の第２実施例に係る再生装置の処理を示すフローチャートである。
【図６】本発明の変形例に係る再生装置の処理を示す第１のフローチャートである。
【図７】本発明の変形例に係る再生装置の処理を示す第２フローチャートである。
【符号の説明】
【０１０２】
１  音楽データメディア
２  オーディオ制御部
３  スピーカー制御システム
４  入力インターフェース部
５  曲データ
６  曲データ
７  曲データ
８  プレイリスト
【図１】
2007220242.tif 000003
【図２】
2007220242.tif 000004
【図３】
2007220242.tif 000005
【図４】
2007220242.tif 000006
【図５】
2007220242.tif 000007
【図６】
2007220242.tif 000008
【図７】
2007220242.tif 000009